(57)【要約】【課題】画像情報の誤送信を抑制することのできるファクシミリ装置、画像形成装置、通信システムおよびプログラムを得る。【解決手段】画像データの送信先から電話回線８０を介して送信されてくる当該送信先を示す第１宛先情報をファクシミリインタフェース部５４を介して受信する一方、前記画像データの送信先を示す第２宛先情報をユーザインタフェース２２を介して取得し、ＣＰＵ３２により、受信した第１宛先情報により示される送信先と取得した第２宛先情報により示される送信先とが異なる場合に、画像データを送信しないように制御する。【選択図】図３
2011049649.tif 000002
【特許請求の範囲】
【請求項１】
画像情報の送信先との通話状態で前記画像情報の送信指示を受けた場合に、前記送信先に前記画像情報を送信する送信手段と、
前記送信先から当該送信先を示す第１宛先情報を受信する受信手段と、
前記画像情報の送信先を示す第２宛先情報を取得する取得手段と、
前記受信手段によって受信した前記第１宛先情報により示される送信先と前記取得手段によって取得した前記第２宛先情報により示される送信先とが異なる場合に、前記送信手段による前記画像情報の送信を行わないように制御する制御手段と、
を備えたファクシミリ装置。
【請求項２】
前記制御手段は、前記受信手段によって受信した前記第１宛先情報により示される送信先と前記取得手段によって取得した前記第２宛先情報により示される送信先とが一致する場合に、前記送信手段による前記画像情報の送信を行うように制御する
請求項１記載のファクシミリ装置。
【請求項３】
表示手段をさらに備え、
前記制御手段は、前記受信手段によって受信した前記第１宛先情報により示される送信先と前記取得手段によって取得した前記第２宛先情報により示される送信先とが異なる場合に、前記表示手段に前記画像情報の送信先を確認するための確認画面を表示するように制御する
請求項１記載のファクシミリ装置
【請求項４】
前記画像情報の送信先の入力を受け付ける受付手段をさらに備え、
前記制御手段は、前記確認画面の表示後、前記受付手段により前記送信先の入力を受け付けた場合、受け付けた前記送信先への前記送信手段による前記画像情報の送信を行うように制御する
請求項３記載のファクシミリ装置。
【請求項５】
前記取得手段によって取得された前記第２宛先情報を当該第２宛先情報により示される送信先に送信する前記画像情報に関連付けて記憶する記憶手段をさらに備え、
前記制御手段は、前記受信手段によって受信した前記第１宛先情報により示される送信先と前記取得手段によって取得した前記第２宛先情報により示される送信先とが一致する場合に、当該第２宛先情報に対応する前記画像情報の前記送信手段による送信を行うように制御する
請求項１から請求項４の何れか１項記載のファクシミリ装置。
【請求項６】
請求項１から請求項５の何れか１項記載のファクシミリ装置と、
前記ファクシミリ装置における前記画像情報により示される画像を形成する形成手段と、
を有する画像形成装置。
【請求項７】
請求項１から請求項５の何れか１項記載のファクシミリ装置と、
前記ファクシミリ装置に前記第１宛先情報を送信する第２送信手段、および前記ファクシミリ装置から送信された前記画像情報を受信する第２受信手段を備えた第２ファクシミリ装置と、
を有する通信システム。
【請求項８】
コンピュータを、請求項１から請求項５の何れか１項に記載のファクシミリ装置における取得手段および制御手段として機能させるためのプログラム。
【請求項９】
コンピュータを、
画像情報の送信先を示す第２宛先情報を取得する取得手段と、
前記送信先から受信した当該送信先を示す第１宛先情報により示される送信先と前記取得手段によって取得した前記第２宛先情報により示される送信先とが異なる場合に、前記画像情報を送信しないように制御する制御手段と、
として機能させるためのプログラム。
【発明の詳細な説明】
【技術分野】
【０００１】
本発明は、ファクシミリ装置、画像形成装置、通信システムおよびプログラムに関する。
【背景技術】
【０００２】
特許文献１には、宛先情報を入力する入力ステップと、入力された前記宛先情報と過去に正常に送信が完了した宛先情報からなる送信履歴情報とを比較し、入力された前記宛先情報の正誤を判定する判定ステップと、入力された前記宛先情報が正しいと判定されたとき、送信データを前記宛先情報により特定される宛先に通信網を介して送信する送信ステップとを含むことを特徴とするデータ送信方法が開示されている。
【０００３】
また、特許文献２には、原稿を読み取る原稿読取部と、第一送信先情報を入力または指定する送信先入力部と、前記原稿読取部が取得した情報を通信回線を介して送信する送信部と、を備えるファクシミリ装置において、前記原稿読取部が取得した情報から第二送信先情報を認識する送信先認識部と、前記第一送信先情報と前記第二送信先情報とを比較する送信先比較部と、前記送信先比較部の比較結果が不一致の場合に警告を行う報知部と、を備えることを特徴とするファクシミリ装置が開示されている。
【先行技術文献】
【特許文献】
【０００４】
【特許文献１】特開２００６−３２４９６８号公報
【特許文献２】特開２００７−２５８９２０号公報
【発明の概要】
【発明が解決しようとする課題】
【０００５】
本発明は、画像情報の誤送信を抑制することのできるファクシミリ装置、画像形成装置、通信システムおよびプログラムを提供することを目的とする。
【課題を解決するための手段】
【０００６】
上記目的を達成するために、請求項１に記載のファクシミリ装置は、画像情報の送信先との通話状態で前記画像情報の送信指示を受けた場合に、前記送信先に前記画像情報を送信する送信手段と、前記送信先から当該送信先を示す第１宛先情報を受信する受信手段と、前記画像情報の送信先を示す第２宛先情報を取得する取得手段と、前記受信手段によって受信した前記第１宛先情報により示される送信先と前記取得手段によって取得した前記第２宛先情報により示される送信先とが異なる場合に、前記送信手段による前記画像情報の送信を行わないように制御する制御手段と、を備えている。
【０００７】
また、請求項２に記載の発明は、請求項１に記載の発明において、前記制御手段が、前記受信手段によって受信した前記第１宛先情報により示される送信先と前記取得手段によって取得した前記第２宛先情報により示される送信先とが一致する場合に、前記送信手段による前記画像情報の送信を行うように制御するものである。
【０００８】
また、請求項３に記載の発明は、請求項１に記載の発明において、表示手段をさらに備え、前記制御手段が、前記受信手段によって受信した前記第１宛先情報により示される送信先と前記取得手段によって取得した前記第２宛先情報により示される送信先とが異なる場合に、前記表示手段に前記画像情報の送信先を確認するための確認画面を表示するように制御するものである。
【０００９】
また、請求項４に記載の発明は、請求項３に記載の発明において、前記画像情報の送信先の入力を受け付ける受付手段をさらに備え、前記制御手段が、前記確認画面の表示後、前記受付手段により前記送信先の入力を受け付けた場合、受け付けた前記送信先への前記送信手段による前記画像情報の送信を行うように制御するものである。
【００１０】
さらに、請求項５に記載の発明は、請求項１から請求項４の何れか１項に記載の発明において、前記取得手段によって取得された前記第２宛先情報を当該第２宛先情報により示される送信先に送信する前記画像情報に関連付けて記憶する記憶手段をさらに備え、前記制御手段が、前記受信手段によって受信した前記第１宛先情報により示される送信先と前記取得手段によって取得した前記第２宛先情報により示される送信先とが一致する場合に、当該第２宛先情報に対応する前記画像情報の前記送信手段による送信を行うように制御するものである。
【００１１】
一方、上記目的を達成するために、請求項６に記載の画像形成装置は、請求項１から請求項５の何れか１項記載のファクシミリ装置と、前記ファクシミリ装置における前記画像情報により示される画像を形成する形成手段と、を有している。
【００１２】
また、上記目的を達成するために、請求項７に記載の通信システムは、請求項１から請求項５の何れか１項記載のファクシミリ装置と、前記ファクシミリ装置に前記第１宛先情報を送信する第２送信手段、および前記ファクシミリ装置から送信された前記画像情報を受信する第２受信手段を備えた第２ファクシミリ装置と、を有している。
【００１３】
一方、上記目的を達成するために、請求項８に記載のプログラムは、コンピュータを、請求項１から請求項５の何れか１項に記載のファクシミリ装置における取得手段および制御手段として機能させるためのものである。
【００１４】
さらに、上記目的を達成するために、請求項９に記載のプログラムは、コンピュータを、画像情報の送信先を示す第２宛先情報を取得する取得手段と、前記送信先から受信した当該送信先を示す第１宛先情報により示される送信先と前記取得手段によって取得した前記第２宛先情報により示される送信先とが異なる場合に、前記画像情報を送信しないように制御する制御手段と、として機能させるためのものである。
【発明の効果】
【００１５】
請求項１、請求項２、請求項６、請求項７、請求項８、および請求項９に記載の発明によれば、送信先から送信されてくる当該送信先を示す第１宛先情報を用いない場合に比較して、画像情報の誤送信を抑制することができる、という効果が得られる。
【００１６】
また、請求項３に記載の発明によれば、画像情報の送信を実行する前に当該画像情報の送信先の確認を促すことができる、という効果が得られる。
【００１７】
また、請求項４に記載の発明によれば、画像情報の送信先の入力を受け付けない場合に比較して、より確実に画像情報の誤送信を抑制することができる、という効果が得られる。
【００１８】
また、請求項５に記載の発明によれば、送信する画像情報を事前に記憶することができる、という効果が得られる。
【図面の簡単な説明】
【００１９】
【図１】実施の形態に係る通信システムの構成を示すブロック図である。
【図２】実施の形態に係る画像形成装置の要部斜視図である。
【図３】実施の形態に係る画像形成装置の電気系の要部構成を示すブロック図である。
【図４】実施の形態に係るファクシミリ装置の電気系の要部構成を示すブロック図である。
【図５】実施の形態に係る画像形成装置の機能的な構成を示す機能ブロック図である。
【図６】実施の形態に係る原稿の構成を示す正面図である。
【図７】第１の実施の形態に係る画像送信処理プログラムの処理の流れを示すフローチャートである。
【図８】第１，第２の実施の形態に係る送信中止処理ルーチン・プログラムの処理の流れを示すフローチャートである。
【図９】実施の形態に係る受話操作指示画面の構成を示す正面図である。
【図１０】第１，第３の実施の形態に係る送信操作指示画面の構成を示す正面図である。
【図１１】第１，第２の実施の形態に係る確認指示画面の構成を示す正面図である。
【図１２】実施の形態に係る通信システムの処理の流れの説明に供する線図である。
【図１３】第２の実施の形態に係る送付原稿対応データベースのデータ構造を示す模式図である。
【図１４】第２の実施の形態に係る画像送信処理プログラムの処理の流れを示すフローチャートである。
【図１５】第２の実施の形態に係る原稿選択画面の構成を示す正面図である。
【図１６】第３の実施の形態に係る画像送信処理プログラムの処理の流れを示すフローチャートである。
【図１７】第３の実施の形態に係る送信確認処理ルーチン・プログラムの処理の流れを示すフローチャートである。
【図１８】第３の実施の形態に係る送信確認画面の構成を示す正面図である。
【発明を実施するための形態】
【００２０】
以下、図面を参照して本発明の実施の形態を詳細に説明する。
【００２１】
［第１の実施の形態］
図１には、本発明が適用された通信システム９０の構成例が示されている。同図に示されるように、本実施の形態に係る通信システム９０は、本発明のファクシミリ装置を適用した画像形成装置１０と、複数のファクシミリ装置６０とを備えている。画像形成装置１０と各ファクシミリ装置６０は電話回線８０を介して接続されており、画像形成装置１０と各ファクシミリ装置６０は電話回線８０を介して各種データの送受信を相互に行う。
【００２２】
なお、本実施の形態に係る通信システム９０は、予め定められた利用者に対し、当該利用者からの要求に応じて予め定められた原稿の画像を示す画像データを送信するサービス（以下、「画像送信サービス」という。）を提供するものであり、各ファクシミリ装置６０は各利用者が所有しており、画像形成装置１０は画像送信サービスの提供者が所有している。
【００２３】
図２には、本実施の形態に係る画像形成装置１０の構成が示されている。この画像形成装置１０には、不図示の通信回線を介して各種データを受信し、受信したデータに基づく画像形成処理を行うプリント機能、原稿に記録された画像を記録紙に複写する複写機能、電話回線８０を介して各種データの送信および受信を行うファクシミリ機能が搭載されている。
【００２４】
本実施の形態に係る画像形成装置１０には、装置上部に原稿読取部１２が設けられ、原稿読取部１２の下方に画像形成部１４が配置されている。原稿読取部１２は、原稿カバー１６内に原稿搬送部１８を備えている。原稿搬送部１８は、原稿カバー１６に設けられている原稿給紙部１６Ａ上に載せられた原稿２０を順に引き込んで図示しないプラテンガラス上に搬送して原稿２０に記録された画像の読み込みを行う。また、原稿搬送部１８は、画像の読み込みが終了した原稿２０を原稿カバー１６に設けられている原稿排出部１６Ｂ上に排出する。
【００２５】
また、原稿読取部１２には、ユーザによる各種の指示操作を受け付けるユーザインタフェース２２が設けられている。このユーザインタフェース２２は、ソフトウェアプログラムによって指示操作の受け付けを実現する表示ボタンや各種情報が表示されるタッチパネル式のディスプレイ２４、テンキーやスタートボタンなどのハードウェアキー２６等が設けられている。ユーザインタフェース２２は、ディスプレイ２４の表示ボタンやハードウェアキー２６によって複写機能を用いるときの複写枚数の設定や倍率設定、ファクシミリ機能を用いるときの電話機のダイヤルキー等として用いられる。
【００２６】
一方、画像形成部１４は、画像形成用の記録媒体となる記録紙が収容される給紙格納部２８を備えている。画像形成部１４では、給紙格納部２８に収容されている記録紙を、１枚ずつ取り出し、例えば、電子写真プロセスによって画像データに基づいた画像を記録紙に形成する。また、画像形成部１４では、画像形成を行った記録紙を順に図示しない排紙部上へ排出する。
【００２７】
図３には、本実施の形態に係る画像形成装置１０の電気系の要部構成が示されている。
【００２８】
同図に示されるように、本実施の形態に係る画像形成装置１０は、装置全体の動作を司るＣＰＵ（中央処理装置）３２と、各種のデータが一時的に格納されるＲＡＭ（Random Access Memory）３３と、装置全体を制御する制御プログラムを含む各種のプログラムが記憶されるＲＯＭ（Read Only Memory）３４と、各種のデータやアプリケーション・プログラム等を記憶する記憶手段として機能するＨＤＤ（Hard Disk Drive）３５とを含み、これらがシステムバスなどのバス（bus）３６によって電気的に接続され、これにより、一般的な構成のコンピュータが形成されている。
【００２９】
一方、画像形成装置１０には、ユーザインタフェース２２に接続され、ユーザインタフェース２２のディスプレイ２４への各種の操作画面等の表示を制御する表示制御部４２と、ユーザインタフェース２２に接続され、ユーザインタフェース２２を介して入力される操作指示を検出する操作入力検出部４４と、が備えられており、これらがバス３６に電気的に接続されている。
【００３０】
また、画像形成装置１０には、原稿読取部１２による光学的な画像の読み取り動作、および原稿搬送部１８による原稿送り動作を制御する読取制御部４６と、画像形成部１４による画像形成処理を制御する画像形成制御部４８とが備えられている。また、画像形成装置１０は、不図示の通信回線に接続され、当該通信回線に接続された他の外部装置と通信データの送受信を行う通信回線インタフェース（通信回線Ｉ／Ｆ）部５０と、電話回線８０に接続され、当該電話回線８０に接続されているファクシミリ装置とファクシミリデータの送受信を行うファクシミリインタフェース（ファクシミリＩ／Ｆ）部５４と、ファクシミリインタフェース部５４を介したファクシミリデータの送受信を制御する送受信制御部３８とを備えている。そして、画像形成装置１０では、送受信制御部３８、読取制御部４６、画像形成制御部４８、通信回線インタフェース部５０、およびファクシミリインタフェース部５４がバス３６に電気的に接続されている。
【００３１】
これにより、画像形成装置１０では、ＣＰＵ３２により、ＲＡＭ３３、ＲＯＭ３４、およびＨＤＤ３５へのアクセスと、表示制御部４２を介したユーザインタフェース２２のディスプレイ２４への操作画面、各種のメッセージなどの情報の表示の制御と、読取制御部４６を介した原稿読取部１２および原稿搬送部１８の作動の制御と、画像形成制御部４８を介した画像形成部１４の作動の制御と、通信回線インタフェース部５０を介した通信データの送受信の制御と、送受信制御部３８によるファクシミリインタフェース部５４を介したファクシミリデータの送受信の制御とを、各々実行する。また、画像形成装置１０では、ＣＰＵ３２により、操作入力検出部４４によって検出された操作情報に基づくユーザインタフェース２２における操作内容の把握が行われて、この操作内容に基づく各種の制御を実行する。
【００３２】
本実施の形態に係る画像形成装置１０では、ユーザインタフェース２２上でファクシミリ機能（ファクシミリ送信）が指定されたことが検出されると、送受信制御部３８がファクシミリ送信を実行する。ユーザは、画像形成装置１０を用いたファクシミリ送信を実行する場合、原稿給紙部１６Ａに原稿２０を載せると共に、送信先となるファクシミリ装置の電話番号（以下、「送信先情報」という。）をユーザインタフェース２２から取得する。この送信先情報は、電話番号をテンキーによって直接入力してもよいが、予め送信先名と共に電話番号を取得して、例えばＨＤＤ３５等の記憶手段に格納しておいてもよい。
【００３３】
また、本実施の形態に係る画像形成装置１０では、ユーザインタフェース２２上でハードウェアキー２６として設けているスタートボタンが操作されたことを検出すると、原稿読取部１２を作動させ、原稿給紙部１６Ａに載せられている原稿２０の画像の読み込みを開始する。そして、全ての原稿２０から画像の読み込みを終了すると、これによって得られた画像データを、送受信制御部３８を介してファクシミリインタフェース部５４へ転送する。送受信制御部３８では、ファクシミリインタフェース部５４を用い、指定された送信先のファクシミリ装置と電話回線８０を介して接続し、上記画像データをファクシミリデータとして当該ファクシミリ装置へ送信する。
【００３４】
一方、図４には、本実施の形態に係るファクシミリ装置６０の電気系の要部構成が示されている。同図に示されるように、本実施の形態に係るファクシミリ装置６０の電気系の要部は、通信回線インタフェース部５０が設けられていない点を除いて画像形成装置１０とほぼ同様の構成とされている。
【００３５】
すなわち、本実施の形態に係るファクシミリ装置６０は、装置全体の動作を司るＣＰＵ６１と、各種のデータが一時的に格納されるＲＡＭ６２と、装置全体を制御する制御プログラムを含む各種のプログラムが記憶されるＲＯＭ６３と、各種のデータやプログラムを記憶するＨＤＤ６４とを含み、これらがシステムバスなどのバス７４によって電気的に接続され、これにより、一般的な構成のコンピュータが形成されている。
【００３６】
一方、ファクシミリ装置６０には、上述した画像形成装置１０の同一名称の部位と同様の役割を各々有するユーザインタフェース７１と、画像形成部７２と、原稿読取部７３とが備えられている。さらに、ファクシミリ装置６０には、ユーザインタフェース７１に接続され、ユーザインタフェース７１のディスプレイへの各種の操作画面等の表示を制御する表示制御部６５と、ユーザインタフェース７１に接続され、ユーザインタフェース７１を介して入力される操作指示を検出する操作入力検出部６６と、が備えられており、これらがバス７４に電気的に接続されている。
【００３７】
また、ファクシミリ装置６０には、原稿読取部７３による光学的な画像の読み取り動作、および不図示の原稿搬送部による原稿送り動作を制御する読取制御部６８と、画像形成部７２による画像形成処理を制御する画像形成制御部６７とを備えている。さらに、ファクシミリ装置６０は、電話回線８０に接続され、当該電話回線８０に接続されている各種装置とファクシミリデータの送受信を行うファクシミリインタフェース（ファクシミリＩ／Ｆ）部７０と、ファクシミリインタフェース部７０を介したファクシミリデータの送受信を制御する送受信制御部６９とを備えている。そして、ファクシミリ装置６０では、送受信制御部６９、読取制御部６８、画像形成制御部６７、およびファクシミリインタフェース部７０がバス７４に電気的に接続されている。
【００３８】
これにより、ファクシミリ装置６０では、ＣＰＵ６１により、ＲＡＭ６２、ＲＯＭ６３、およびＨＤＤ６４へのアクセスと、表示制御部６５を介したユーザインタフェース７１のディスプレイへの操作画面、各種のメッセージなどの情報の表示の制御と、読取制御部６８を介した原稿読取部７３および原稿搬送部の作動の制御と、画像形成制御部６７を介した画像形成部７２の作動の制御と、送受信制御部６９によるファクシミリインタフェース部７０を介したファクシミリデータの送受信の制御とを、各々行う。また、ファクシミリ装置６０では、ＣＰＵ６１により、操作入力検出部６６によって検出された操作情報に基づくユーザインタフェース７１における操作内容の把握が行われて、この操作内容に基づく各種の制御を行う。
【００３９】
本実施の形態に係るファクシミリ装置６０では、ユーザインタフェース７１上でファクシミリ送信が指定されたことが検出されると、送受信制御部６９がファクシミリ送信を実行する。ユーザは、ファクシミリ装置６０を用いたファクシミリ送信を実行する場合、不図示の原稿給紙部に原稿を載せると共に、送信先となるファクシミリ装置の電話番号をユーザインタフェース７１から取得する。
【００４０】
また、本実施の形態に係るファクシミリ装置６０では、ユーザインタフェース７１上でハードウェアキーとして設けているスタートボタンが操作されたことを検出すると、原稿読取部７３を作動させ、上記原稿給紙部に載せられている原稿の画像の読み込みを開始する。そして、全ての原稿から画像の読み込みを終了すると、これによって得られた画像データを、送受信制御部６９を介してファクシミリインタフェース部７０へ転送する。送受信制御部６９では、ファクシミリインタフェース部７０を用い、電話回線８０を介して指定された送信先のファクシミリ装置と接続し、上記画像データをファクシミリデータとして当該ファクシミリ装置へ送信する。
【００４１】
一方、本実施の形態に係るファクシミリ装置６０では、ユーザインタフェース７１上で前述した画像送信サービスの利用が指定されたことが検出されると、画像形成装置１０に対して発呼する。これに応じて画像形成装置１０では、通話状態を確立し、発呼元であるファクシミリ装置６０の電話番号を第１宛先情報として取得する。なお、本実施の形態に係る画像形成装置１０では、上記第１宛先情報の取得を、発信者番号通知機能を利用して行うものとされている。
【００４２】
ここで、画像形成装置１０のユーザは、発呼元であるファクシミリ装置６０に送信すべき原稿（以下、「提供原稿」という。）を原稿給紙部１６Ａに載せた後、上記スタートボタンを押圧操作する。これに応じて画像形成装置１０では、提供原稿の画像を読み取り、これによって得られた画像データ（以下、「提供原稿画像データ」という。）から当該提供原稿の送信先を示す第２宛先情報を取得し、取得した第２宛先情報により示される送信先と、取得した第１宛先情報により示される送信先とが一致した場合に限り、提供原稿画像データを送信先となるファクシミリ装置６０、すなわち、発呼元のファクシミリ装置６０へ送信する。
【００４３】
図５には、本実施の形態に係る画像形成装置１０の画像送信サービスを実行する際の機能的な構成を示す機能ブロック図が示されている。
【００４４】
同図に示されるように、本実施の形態に係る画像形成装置１０のＣＰＵ３２は、制御部３２Ａおよび取得部３２Ｂを備えている。制御部３２Ａは、ファクシミリインタフェース部５４によって発呼元のファクシミリ装置６０から受信された第１宛先情報を取得する。また、取得部３２Ｂは、読取制御部４６を介して取得される提供原稿画像データに基づいて、当該提供原稿画像データの送信先を示す第２宛先情報を取得する。
【００４５】
図６には、本実施の形態に係る提供原稿の一例が示されている。
【００４６】
同図に示されるように、この提供原稿２０Ａは、送信先のファクシミリ番号（電話番号）が記載されている。そこで、本実施の形態に係る取得部３２Ｂでは、読取制御部４６を介して得られた提供原稿画像データから、従来既知の文字認識技術を利用して上記ファクシミリ番号をテキスト情報とすることにより、上記第２宛先情報を取得する。なお、文字認識技術によりファクシミリ番号をテキスト情報とすることは、一例として上記特許文献２等にも記載されているように周知であるため、これ以上の説明は省略する。
【００４７】
そして、制御部３２Ａは、ファクシミリインタフェース部５４を介して取得した第１宛先情報により示される送信先と、取得部３２Ｂによって取得された第２宛先情報により示される送信先とが異なる場合に送受信制御部３８によるファクシミリ送信を行わない。
【００４８】
以上のように構成された画像形成装置１０の各構成要素による処理は、プログラムを実行することにより、コンピュータを利用してソフトウェア構成により実現してもよい。この場合、当該プログラムに本発明のプログラムが含まれることになる。但し、ソフトウェア構成による実現に限られるものではなく、ハードウェア構成や、ハードウェア構成とソフトウェア構成の組み合わせによって実現してもよいことは言うまでもない。
【００４９】
以下では、本実施の形態に係る画像形成装置１０が、上記プログラムを実行することにより上記各構成要素による処理を実現するものとされている場合について説明する。この場合、当該プログラムを画像形成装置１０に予めインストールしておく形態や、コンピュータ読み取り可能な記録媒体に格納された状態で提供される形態、有線または無線による通信手段を介して配信される形態等を適用してもよい。
【００５０】
次に、図７を参照して、画像送信サービスを実行する際の本実施の形態に係る通信システム９０の作用を説明する。なお、図７は、この際、本実施の形態に係る画像形成装置１０のＣＰＵ３２によって実行される画像送信処理プログラムの処理の流れを示すフローチャートであり、当該プログラムはＨＤＤ３５に予め記憶されている。また、錯綜を回避するために、ここでは、提供原稿がファクシミリ装置６０毎に１種類のみである場合について説明する。さらに、ここでは、画像形成装置１０が手動受信モードとなっている場合について説明する。
【００５１】
同図のステップ１００では、何れかのファクシミリ装置６０からの着信待ちを行い、次のステップ１０２では、発信者番号通知機能を利用して発呼元であるファクシミリ装置６０に対応する第１宛先情報（電話番号）を取得する。
【００５２】
次のステップ１０４では、予め定められた受話操作指示画面をユーザインタフェース２２のディスプレイ２４に表示させるように表示制御部４２を制御し、次のステップ１０６にて、予め定められた操作が終了するまで待機する。
【００５３】
図９には、上記ステップ１０４の処理によってディスプレイ２４に表示される受話操作指示画面の表示状態例が示されている。同図に示すように、本実施の形態に係る受話操作指示画面では、上記ステップ１０２の処理によって取得した第１宛先情報が発信者番号として表示される一方、通話状態を確立するべく、「手動受信モードになっています。受話器をあげるか［オンフック］を押してください。」とのメッセージと共に、［オンフック］ボタンが表示される。同図に示される受話操作指示画面がディスプレイ２４に表示されると、ユーザは、不図示の受話器をあげるか、または当該受話操作指示画面に表示されている［オンフック］ボタンを押圧操作する。これに応じて上記ステップ１０６が肯定判定となってステップ１０８に移行する。
【００５４】
ステップ１０８では、予め定められた送信操作指示画面をディスプレイ２４に表示させるように表示制御部４２を制御し、次のステップ１１０にて、予め定められた操作が終了するまで待機する。
【００５５】
図１０には、上記ステップ１０８の処理によってディスプレイ２４に表示される送信操作指示画面の表示状態例が示されている。同図に示すように、本実施の形態に係る送信操作指示画面では、上記発信者番号が引き続き表示されると共に、「送信する原稿を原稿給紙部に載せた後、スタートボタンを押してください。」とのメッセージが表示される。同図に示される送信操作指示画面がディスプレイ２４に表示されると、ユーザは、送信すべき提供原稿を原稿給紙部１６Ａに載せた後、ユーザインタフェース２２のスタートボタンを押圧操作する。これに応じて上記ステップ１１０が肯定判定となってステップ１１２に移行する。
【００５６】
ステップ１１２では、読取制御部４６に対して読み取り動作の実行を指示する。これにより、読取制御部４６は、原稿給紙部１６Ａに載せられている提供原稿の画像の読み取りを実行するように原稿読取部１２を制御した後、これによって得られた画像データを提供原稿画像データとしてＣＰＵ３２に送信する。
【００５７】
そこで、次のステップ１１４では、当該提供原稿画像データが受信されるまで待機し、次のステップ１１６にて、受信した提供原稿画像データから従来既知の文字認識技術を利用して提供原稿の送信先を示す第２宛先情報を取得する。
【００５８】
次のステップ１１８では、上記ステップ１０２の処理によって取得した第１宛先情報により示される送信先と、上記ステップ１１６の処理によって取得した第２宛先情報によって示される送信先とが一致するか否かを判定し、肯定判定となった場合はステップ１２２に移行して、送受信制御部３８に対し、提供原稿画像データの上記第２宛先情報により示される送信先への送信を指示する。これに応じて、送受信制御部３８は、提供原稿画像データの当該送信先への送信を実行する。
【００５９】
そこで、次のステップ１２４では、送受信制御部３８による上記送信先への提供原稿画像データの送信が終了するまで待機し、その後に後述するステップ１２６に移行する。
【００６０】
一方、上記ステップ１１８において否定判定となった場合はステップ１２０に移行し、送信中止処理ルーチン・プログラムを実行する。以下、図８を参照して、本実施の形態に係る送信中止処理ルーチン・プログラムについて説明する。
【００６１】
同図のステップ２００では、送受信制御部３８に対して提供原稿画像データの送信の中止を指示し、次のステップ２０２では、予め定められた確認指示画面をディスプレイ２４に表示させるように表示制御部４２を制御し、次のステップ２０４にて、予め定められた操作が終了するまで待機する。
【００６２】
図１１には、上記ステップ２０２の処理によってディスプレイ２４に表示される確認指示画面の表示状態例が示されている。同図に示すように、本実施の形態に係る確認指示画面では、上記ステップ１１６の処理によって取得した第２宛先情報が「通信相手先（電話番号）」として表示される一方、「原稿から読み取ったファックス送信宛先と実際の通信相手先が一致していません。通信相手・原稿を再確認してください。」とのメッセージと共に、［了解（送信中止）］ボタンが表示される。同図に示される確認指示画面がディスプレイ２４に表示されると、ユーザは、当該確認指示画面で表示されている通信相手先や、原稿給紙部１６Ａに載せた提供原稿が正しいか否かを確認すると共に、当該確認指示画面で表示されている［了解（送信中止）］ボタンを押圧操作する。これに応じて上記ステップ２０４が肯定判定となって本送信中止処理ルーチン・プログラムを終了し、画像送信処理プログラム（図７参照。）の上記ステップ１００に戻る。
【００６３】
一方、ステップ１２６では、本画像送信処理プログラムを終了するタイミングとして予め定められたタイミングが到来したか否かを判定し、否定判定となった場合は上記ステップ１００に戻る一方、肯定判定となった時点でステップ１２８に移行し、電話回線８０を切断した後に本画像送信処理プログラムを終了する。なお、本実施の形態に係る通信システム９０では、上記予め定められたタイミングとして、ユーザによりユーザインタフェース２２を介して本画像送信処理プログラムの終了を指示する指定が行われたタイミングを適用しているが、これに限らず、画像形成装置１０に何らかの不具合が生じたタイミング、画像送信サービスの提供時間の終了時刻となったタイミング等の他のタイミングを適用してもよい。
【００６４】
図１２には、画像送信サービスを実行する際における発呼側（ファクシミリ装置６０）と被呼側（画像形成装置１０）との通信状態の推移が示されている。
【００６５】
同図に示されるように、画像送信サービスを実行するべく何れかのファクシミリ装置６０から画像形成装置１０に対して発呼されると、画像形成装置１０では通話状態を確立すると共に、送信元のファクシミリ装置６０から第１宛先情報を取得する。
【００６６】
そして、画像形成装置１０では、提供原稿を読み取ることにより得られた提供原稿画像データから第２宛先情報を取得し、上記第１宛先情報により示される送信先と、上記第２宛先情報により示される送信先とを照合して一致した場合に限り提供原稿画像データを当該送信先のファクシミリ装置６０に送信し、当該送信が終了した後に電話回線８０を切断する。
【００６７】
［第２の実施の形態］
上記第１の実施の形態では、画像送信サービスにおいて送付対象とする提供原稿がファクシミリ装置６０毎に１種類のみである場合の形態例について説明したが、本第２の実施の形態では、当該提供原稿がファクシミリ装置６０毎に複数種類まで許容する場合の形態例について説明する。なお、本第２の実施の形態に係る通信システム９０の構成は、上記第１の実施の形態に係るものと同一であるので、ここでの説明は省略する。
【００６８】
本実施の形態に係る通信システム９０では、１台のファクシミリ装置６０に送付する原稿の種類として複数種類も許容するため、本実施の形態に係る画像形成装置１０は、当該画像形成装置１０のユーザを認証する認証機能を有する一方、一例として図１３に示す送付原稿対応データベースＤＢ１が画像形成装置１０のＨＤＤ３５に記憶される。
【００６９】
なお、本実施の形態に係る画像形成装置１０では、上記認証機能として、画像形成装置１０を利用してもよいユーザに対して予め付与されたユーザＩＤ（Identification）をユーザインタフェース２２のテンキーを介してユーザ自身に指定させ、指定されたユーザＩＤが予め登録されたユーザＩＤに含まれる場合に正規のユーザであるものと認証する方法を適用している。また、本実施の形態に係る画像形成装置１０では、図１３に示すように、上記送付原稿対応データベースＤＢ１として、ユーザＩＤ、提供原稿画像データ、および第２宛先情報が、対応するもの同士が関連付けられた状態で記憶される。
【００７０】
なお、送付原稿対応データベースＤＢ１におけるユーザＩＤは、上述した各ユーザに予め付与されたユーザＩＤと同一の情報であり、提供原稿画像データは、対応するユーザＩＤが付与されたユーザにより、画像送信サービスによってファクシミリ装置６０に送信するものとして予め登録された提供原稿の画像データであり、第２宛先情報は、対応する提供原稿画像データの送信先となるファクシミリ装置６０に対応する電話番号を示す情報である。
【００７１】
図１３に示す例では、例えば、ユーザＩＤとして「Ｕ１」が付与されたユーザによって登録された提供原稿画像データは原稿Ａを示す画像データであり、当該提供原稿画像データは電話番号が「ｘｘ−ｘｘｘｘ−１２３４」であるファクシミリ装置６０に送信されるものであることを示している。
【００７２】
次に、図１４を参照して、画像送信サービスを実行する際の本第２の実施の形態に係る通信システム９０の作用を説明する。なお、図１４は、この際、本第２の実施の形態に係る画像形成装置１０のＣＰＵ３２によって実行される画像送信処理プログラムの処理の流れを示すフローチャートであり、同図における図７と同一の処理を実行するステップには図７と同一のステップ番号を付して、その説明を極力省略する。また、ここでは、錯綜を回避するために、画像形成装置１０のユーザが正規のユーザであることが認証されており、送付原稿対応データベースＤＢ１が既に構築されている場合について説明する。
【００７３】
同図のステップ１０７では、認証したユーザのユーザＩＤ（以下、「認証ユーザＩＤ」という。）に対応する提供原稿画像データが送付原稿対応データベースＤＢ１に登録されているか否かを判定し、否定判定となった場合はステップ１０９に移行して送信不可処理を実行し、その後にステップ１２６に移行する。なお、本実施の形態に係る通信システム９０では、上記送信不可処理として、送信すべき提供原稿画像データが登録されていない旨を示すメッセージをユーザインタフェース２２のディスプレイ２４に表示させるように表示制御部４２を制御する処理を適用している。
【００７４】
一方、上記ステップ１０７において肯定判定となった場合にはステップ１１１に移行し、認証ユーザＩＤに対応する提供原稿画像データの送付原稿対応データベースＤＢ１への登録数が１つであるか否かを判定し、肯定判定となった場合はステップ１１６’に移行して、認証ユーザＩＤに対応する第２宛先情報を送付原稿対応データベースＤＢ１から読み出すことにより取得した後に後述するステップ１１８’に移行する一方、否定判定となった場合にはステップ１１３に移行する。
【００７５】
ステップ１１３では、予め定められた原稿選択画面をユーザインタフェース２２のディスプレイ２４に表示させるように表示制御部４２を制御し、次のステップ１１５にて、予め定められた操作が終了するまで待機する。
【００７６】
図１５には、上記ステップ１１３の処理によってディスプレイ２４に表示される原稿選択画面の表示状態例が示されている。同図に示すように、本実施の形態に係る原稿選択画面では、上記ステップ１０２の処理によって取得した第１宛先情報が発信者番号として表示される一方、「次の中から送信する原稿画像を選択した後、［送信］ボタンを押してください。」とのメッセージと共に、認証ユーザＩＤに対応する提供原稿画像データを示す複数のボタン（同図に示す例では、［原稿Ａ］ボタンおよび［原稿Ｂ］ボタンの２つのボタン）および［送信］ボタンが表示される。同図に示される原稿選択画面がディスプレイ２４に表示されると、ユーザは、当該原稿選択画面に表示されている発信者番号等を参考として、送信すべき提供原稿に対応するボタンを押圧操作した後、［送信］ボタンを押圧操作する。これに応じて上記ステップ１１５が肯定判定となってステップ１１６’’に移行する。
【００７７】
ステップ１１６’’では、原稿選択画面でユーザによって指定された提供原稿に対応する第２宛先情報を送付原稿対応データベースＤＢ１から読み出すことにより取得した後、ステップ１１８’に移行する。
【００７８】
ステップ１１８’では、ステップ１０２の処理によって取得した第１宛先情報により示される送信先と、上記ステップ１１６’またはステップ１１６’’の処理によって取得した第２宛先情報によって示される送信先とが一致するか否かを判定し、否定判定となった場合はステップ１２０に移行する一方、肯定判定となった場合はステップ１２２’に移行して、認証ユーザＩＤと上記ステップ１１６’またはステップ１１６’’の処理によって取得した第２宛先情報とに対応する提供原稿画像データを送付原稿対応データベースＤＢ１から読み出し、送受信制御部３８に対し、読み出した提供原稿画像データの当該第２宛先情報により示される送信先への送信を指示する。これに応じて、送受信制御部３８は、読み出した提供原稿画像データの当該送信先への送信を実行する。
【００７９】
［第３の実施の形態］
上記第１の実施の形態では、画像送信サービスにおいて第１宛先情報によって示される送信先と第２宛先情報によって示される送信先とが異なる場合に提供原稿画像データを送信しない場合の形態例について説明したが、本第３の実施の形態では、この場合に提供原稿画像データの送信先を確認する場合の形態例について説明する。なお、本第３の実施の形態に係る通信システム９０の構成は、上記第１の実施の形態に係るものと同一であるので、ここでの説明は省略する。
【００８０】
まず、図１６を参照して、画像送信サービスを実行する際の本第３の実施の形態に係る通信システム９０の作用を説明する。なお、図１６は、この際、本第３の実施の形態に係る画像形成装置１０のＣＰＵ３２によって実行される画像送信処理プログラムの処理の流れを示すフローチャートであり、同図における図７と同一の処理を実行するステップには図７と同一のステップ番号を付して、その説明を省略する。また、錯綜を回避するために、ここでは、提供原稿がファクシミリ装置６０毎に１種類のみである場合について説明する。さらに、ここでは、画像形成装置１０が手動受信モードとなっている場合について説明する。
【００８１】
同図のステップ１２０’では、送信確認処理ルーチン・プログラムを実行する。以下、図１７を参照して、本第３の実施の形態に係る送信確認処理ルーチン・プログラムについて説明する。
【００８２】
同図のステップ３００では、予め定められた送信確認画面をディスプレイ２４に表示させるように表示制御部４２を制御し、次のステップ３０２にて、予め定められた操作が終了するまで待機する。
【００８３】
図１８には、上記ステップ３００の処理によってディスプレイ２４に表示される送信確認画面の表示状態例が示されている。同図に示すように、本実施の形態に係る送信確認画面では、上記ステップ１１６の処理によって取得した第２宛先情報が「通信相手先（電話番号）」として表示される一方、「原稿から読み取ったファックス送信宛先と実際の通信相手先が一致していません。送信相手を選択してください。」とのメッセージと共に、第１宛先情報および第２宛先情報を各々個別に示す２つのボタン（本実施の形態では、［ｙｙ−ｙｙｙｙ−ｙｙｙｙ］ボタンおよび［ｘｘ−ｘｘｘｘ−ｘｘｘｘ］ボタン）と、［送信中止］ボタンとが表示される。同図に示される送信確認画面がディスプレイ２４に表示されると、ユーザは、第１宛先情報により示される送信先に提供原稿画像データを送信する場合は第１宛先情報を示すボタンを、第２宛先情報により示される送信先に提供原稿画像データを送信する場合は第２宛先情報を示すボタンを、提供原稿画像データの送信を行わない場合は［送信中止］ボタンを、各々押圧操作する。これに応じて上記ステップ３０２が肯定判定となってステップ３０４に移行する。
【００８４】
ステップ３０４では、上記２つのボタンの何れか一方が押圧操作されたか否かを判定することにより、第１宛先情報により示される送信先および第２宛先情報により示される送信先の何れかが選択されたか否かを判定し、肯定判定となった場合はステップ３０６に移行して、送受信制御部３８に対し、ユーザによって選択された送信先への提供原稿画像データの送信を指示する。これに応じて、送受信制御部３８は、提供原稿画像データの当該送信先への送信を実行する。
【００８５】
そこで、次のステップ３１０では、送受信制御部３８による上記送信先への提供原稿画像データの送信が終了するまで待機し、その後に本送信確認処理ルーチン・プログラムを終了する。
【００８６】
一方、上記ステップ３０４において否定判定となった場合はステップ３０８に移行し、送受信制御部３８に対して提供原稿画像データの送信の中止を指示した後に、本送信確認処理ルーチン・プログラムを終了する。
【００８７】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００８８】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件の組み合わせにより種々の発明が抽出される。実施の形態に示される全構成要件から幾つかの構成要件が削除されても、効果が得られる限りにおいて、この幾つかの構成要件が削除された構成が発明として抽出され得る。
【００８９】
例えば、上記各実施の形態では、画像送信サービスをソフトウェア構成によって実現した場合について説明したが、本発明はこれに限定されるものではなく、例えば、当該画像送信サービスをハードウェア構成により実現する形態としてもよい。この場合の形態例としては、例えば、図５に示した画像形成装置１０の各構成要素（制御部３２Ａおよび取得部３２Ｂ）と同一の処理を実行する機能デバイスを作成して用いる形態が例示される。この場合は、上記各実施の形態に比較して、画像送信サービスにおける画像送信処理の高速化が期待される。
【００９０】
また、上記各実施の形態では、第１宛先情報の取得を、発信者番号通知機能を利用して行う場合について説明したが、本発明はこれに限定されるものではなく、例えば、発呼元のファクシミリ装置６０からのトーン信号により第１宛先情報を取得する形態としてもよい。この場合、ファクシミリ装置６０のユーザは、画像送信サービスの利用を指定した後、トーン信号により、当該ファクシミリ装置６０に対応するファクシミリ番号（電話番号）を、ユーザインタフェース７１を介して指定することになる。
【００９１】
また、上記第１，第３の実施の形態では、画像送信サービスを実行する際に、第２宛先情報を提供原稿に記載されているファクシミリ番号から文字認識技術により取得する場合について説明したが、本発明はこれに限定されるものではなく、例えば、ユーザによるユーザインタフェース２２を介した指示操作によって取得する形態としてもよい。この場合、ユーザは、提供原稿を原稿給紙部１６Ａに載せると共に、送信先となるファクシミリ装置６０に対応する第２宛先情報（電話番号）を、ユーザインタフェース７１を介して指定する。このとき、この第２宛先情報は、ユーザインタフェース２２のハードウェアキー２６として設けられているテンキーを介して直接入力してもよいが、予め送信先名と共に電話番号を取得して、例えばＨＤＤ３５等の記憶手段に格納しておいてもよい。
【００９２】
また、上記第１，第３の実施の形態では、画像送信サービスを実行する際に、第２宛先情報として提供原稿に記載されているファクシミリ番号を取得する場合について説明したが、本発明はこれに限定されるものではなく、例えば、提供原稿に記載されている送信先の会社名（図６に示す例では、「●●会社」）、部署名（図６に示す例では、「●●」部）、および名前（図６に示す例では、「●●●」様）の少なくとも１つを従来既知の文字認識技術を利用して第２宛先情報として取得する形態としてもよい。この場合、取得対象とする第２宛先情報の種類に応じて、第１宛先情報を当該第２宛先情報と同一種類の情報に変換するための変換情報をＨＤＤ３５等の記憶手段に予め記憶しておき、当該変換情報を用いて第１宛先情報を変換した後に、当該変換によって得られた情報により示される送信先と、取得した第２宛先情報により示される送信先とを比較するようにしてもよい。
【００９３】
また、上記第２の実施の形態では、画像形成装置１０のユーザの認証方法として、ユーザインタフェース２２のテンキーを介してユーザ自身により指定されたユーザＩＤを用いた認証方法を適用した場合について説明したが、本発明はこれに限定されるものではなく、例えば、フェリカ（FeliCa（登録商標））等を利用した無線による認証方法を適用する形態としてもよい。
【００９４】
また、上記第２の実施の形態では、提供原稿画像データの登録者を特定するための情報としてユーザＩＤを適用した場合について説明したが、本発明はこれに限定されるものではなく、一例として図６に示されるように、例えば、提供原稿に送信元の会社名（図６に示す例では、「▲▲会社」）、部署名（図６に示す例では、「▲▲」部）、および名前（図６に示す例では、「▲▲▲」）等といった送信元を示す情報が記載されている場合には、当該情報を上記ユーザＩＤに代えて適用する形態としてもよい。
【００９５】
また、上記第２の実施の形態では、画像形成装置１０のユーザを認証するタイミングとして、図１４に示される画像送信処理プログラムを実行する前のタイミングを適用した場合について説明したが、本発明はこれに限定されるものではなく、認証結果を用いる前のタイミングであれば如何なるタイミングを適用してもよい。
【００９６】
また、上記第３の実施の形態では、第１宛先情報により示される送信先と第２宛先情報により示される送信先が異なる場合に、これらの２つの送信先から１つをユーザに選択させる場合について説明したが、本発明はこれに限定されるものではなく、例えば、ユーザに対して提供原稿画像データを送信する送信先を、ユーザインタフェース２２等の受付手段を介して直接入力させる形態としてもよい。
【００９７】
その他、上記各実施の形態で説明した通信システム９０の構成（図１から図５まで参照。）は一例であり、本発明の主旨を逸脱しない範囲内において不要な部分を削除したり、新たな部分を追加したりしてもよいことは言うまでもない。
【００９８】
また、上記第２の実施の形態で説明した送付原稿対応データベースのデータ構造（図１３参照。）も一例であり、本発明の主旨を逸脱しない範囲内において変更を加えてもよいことは言うまでもない。
【００９９】
また、上記各実施の形態で示した提供原稿の構成（図６参照。）も一例であり、本発明の主旨を逸脱しない範囲内において、記載内容が異なるものとしてもよいことは言うまでもない。
【０１００】
また、上記各実施の形態で示した各種表示画面の構成（図９から図１１まで，図１５，図１８参照。）も一例であり、本発明の主旨を逸脱しない範囲内において変更を加えてもよいことは言うまでもない。
【０１０１】
さらに、上記各実施の形態で説明した画像送信処理プログラム、送信中止処理ルーチン・プログラムおよび送信確認処理ルーチン・プログラムの処理の流れ（図７，図８，図１４，図１６，図１７参照。）も一例であり、本発明の主旨を逸脱しない範囲内において不要なステップを削除したり、新たなステップを追加したり、処理順序を入れ替えたりしてもよいことは言うまでもない。
【符号の説明】
【０１０２】
１０    画像形成装置
１２    原稿読取部
１４    画像形成部
２２    ユーザインタフェース
３２    ＣＰＵ
３２Ａ    制御部
３２Ｂ    取得部
３５    ＨＤＤ
３８    送受信制御部
４６    読取制御部
５４    ファクシミリインタフェース部
６０    ファクシミリ装置
６１    ＣＰＵ
６４    ＨＤＤ
７０    ファクシミリインタフェース部
８０    電話回線
９０    通信システム
【図１】
2011049649.tif 000003
【図２】
2011049649.tif 000004
【図３】
2011049649.tif 000005
【図４】
2011049649.tif 000006
【図５】
2011049649.tif 000007
【図６】
2011049649.tif 000008
【図７】
2011049649.tif 000009
【図８】
2011049649.tif 000010
【図９】
2011049649.tif 000011
【図１０】
2011049649.tif 000012
【図１１】
2011049649.tif 000013
【図１２】
2011049649.tif 000014
【図１３】
2011049649.tif 000015
【図１４】
2011049649.tif 000016
【図１５】
2011049649.tif 000017
【図１６】
2011049649.tif 000018
【図１７】
2011049649.tif 000019
【図１８】
2011049649.tif 000020